(57)【要約】【課題】真の時間とは異なる時間データを一時的に読み取っても、表示時間が真の時間と異なることをできる限り少なくする光ディスク装置を提供する。【解決手段】光ディスクに記憶されている時間データを読み取り、この時点の読取時間とその直前の表示時間とを比較する。ここで、読取時間がその直前の表示時間から所定時間進んだ時間範囲内にある場合にのみ、この読取時間で表示時間を更新して出力し、この時間範囲外である場合には表示時間を更新せずに直前の表示時間を引き続き出力する。また、読取時間が所定の時間範囲外であっても、所定回数に亘り読取時間を記憶し、これらに時間連続性があれば、記憶された複数の読取時間の内、最新の読取時間で表示時間を更新して、出力する。【選択図】　図２
2004048683.tif 000002
【特許請求の範囲】
【請求項１】
光ディスクに記憶された画像データ、および時間データを読み取る読取手段と、
前記読取手段が読み取った前記時間データに応じた時間を表示させる時間表示画像データを生成する時間表示画像データ生成手段と、
前記読取手段が読み取った前記画像データに基づく画像に、前記時間表示画像データに基づく時間表示画像を重ね合わせた合成画像を生成し、出力する合成画像出力手段と、を備えた光ディスク装置において、
前記時間表示画像データ生成手段は、前記読取手段が今回読み取った時間データが、前回表示させた時間に対して、時間の進行方向に予め設定した時間範囲内であった場合に前記読み取った時間データが示す時間を表示させる時間表示画像データを生成し、前記時間の進行方向に予め設定した時間範囲外であった場合に、前回表示させた時間を引き続き表示させる時間表示画像データを生成するとともに、これ以降所定時間に亘って前記読取手段が読み取った時間データを記憶し、該記憶された時間データに時間連続性が有れば、前記読取手段が読み取った最新の時間データが示す時間を表示させる時間表示画像データを生成し、
さらに、前記読取手段が今回読み取った時間データが、前回表示させた時間よりも以前の時間であった場合に、前回表示させた時間を引き続き表示させる時間表示画像データを生成することを特徴とする光ディスク装置。
【請求項２】
光ディスクに記憶された画像データ、および時間データを読み取る読取手段と、
前記読取手段が読み取った前記時間データに応じた時間を表示させる時間表示画像データを生成する時間表示画像データ生成手段と、
前記読取手段が読み取った前記画像データに基づく画像に、前記時間表示画像データに基づく時間表示画像を重ね合わせた合成画像を生成し、出力する合成画像出力手段と、を備えた光ディスク装置において、
前記時間表示画像データ生成手段は、前記読取手段が今回読み取った時間データが、前回表示させた時間に対して時間の進行方向に予め設定した時間範囲内であった場合に前記読み取った時間データが示す時間を表示させる時間表示画像データを生成し、前記時間の進行方向に予め設定した時間範囲外であった場合に、前回表示させた時間を引き続き表示させる時間表示画像データを生成することを特徴とする光ディスク装置。
【請求項３】
前記時間表示画像データ生成手段は、前記読取手段が今回読み取った時間データが、前回表示させた時間に対して前記時間の進行方向に予め設定した時間範囲外であった場合に、これ以降所定時間に亘って前記読取手段が読み取った時間データを記憶し、該記憶された時間データに時間連続性が有れば、前記読取手段が読み取った最新の時間データが示す時間を表示させる時間表示画像データを生成する請求項２に記載の光ディスク装置。
【請求項４】
前記時間表示画像データ生成手段は、前記読取手段が今回読み取った時間データが、前回表示させた時間よりも以前の時間であった場合に、前回表示させた時間を引き続き表示させる時間表示画像データを生成する請求項２または３に記載の光ディスク装置。
【発明の詳細な説明】
【０００１】
【発明の属する技術分野】
この発明は、時間データを含むディジタルデータを記録した光ディスクからディジタルデータを復調し、出力する光ディスク装置、特に、表示器に画像データを表示させながら、時間データをＯＳＤ表示させる光ディスク装置に関するものである。
【０００２】
【従来の技術】
現在の光ディスクには、画像データとともに、時間データを同時に記録しているものがある。このような光ディスクを再生する装置（光ディスク装置）では、光ディスクに記録されているディジタルデータを読み取り、時間データと画像データとが別々に読み取られ、復調される。ここで、画像データは復調された後、該画像データが出力される表示器のアスペクト比等の画像仕様に応じて変換される。その後、画像データと時間データとは、互いの同期が取られ、所定の合成画像に形成されて、表示器へ出力される。表示器では、時間データをＯＳＤ表示した画像が表示される。
【０００３】
このような光ディスク装置では、光ディスクに記録されている情報を正確に読み取ることが重要であり、ある時点でサンプリングした誤差信号値が不適正な場合に、その直前にサンプリングした誤差信号値で代用する方法が開示されている。このようにして、常にサンプリング制御を行うことで正確に記録情報を読み書きする装置が提案されている（例えば、特許文献１参照。）。
【０００４】
ところで、光ディスク装置が、時間データを正確に読み取れば、真の時間と読み取った時間データの時間（以下、「読取時間」という。）、および出力（表示）する時間データの時間（以下、「表示時間」という。）は終始一致する。しかし、光ディスクの記録面に傷等があると、時間データを正確に読み取ることができない場合がある。この場合、真の時間と異なる表示時間を出力してしまう。例えば、今回の読取時間が前回の表示時間より以前の時間であっても、今回の読取時間を新たな表示時間として更新し、出力すると、表示上、時間の逆行を生じる。
【０００５】
そこで、従来の光ディスク装置は、図４に示す時間データの読取から出力に到るフローを採用している。なお、このフローは、再生時、繰り返し実行される。
【０００６】
図４に示すように、ディジタルデータ中の時間データが読み取られると、読み取られた時間データ（読取時間）は、その直前に出力された時間データ（表示時間）と比較される（ｓ１０１→ｓ１０２）。読取時間がその直前の表示時間よりも進んだ時間である場合には、表示時間を今回の読取時間で更新して出力する（ｓ１０３→ｓ１０４→ｓ１０６）。ｓ１０４で更新された表示時間は、フィードバックされ、その後の読取時間の比較対象となる。一方、読取時間がその直前の表示時間よりも以前の時間であった場合には、表示時間を更新せず、その直前の表示時間をそのまま維持して、出力する（ｓ１０３→ｓ１０５→ｓ１０６）。
【０００７】
【特許文献１】
特開昭６３−２０７２６号公報
【０００８】
【発明が解決しようとする課題】
しかしながら、従来の光ディスク装置では、今回の読取時間が前回の表示時間よりどれだけ進んでいる場合でも、前回の表示時間よりも進んでいれば、表示時間を更新して出力するので、大幅に進んだ時間データを読み取った場合、大幅に進んだ表示時間を出力する。例えば、真の時間で１秒だけ進んだ時の読取時間が前回の表示時間よりも１時間進んでいても、表示時間を更新し、１時間進んだ表示時間を出力する。その後、真の時間と一致する読取時間（例えば、２秒後に、２秒後を示す時間データ）が得られても、直前に大幅に進んだ時間、上記例では１時間進んだ表示時間、が出力されており、この表示時間が次の読取時間の比較基準となるため、読取時間が表示時間より以前の時間となり、表示時間を更新しない。言い換えれば、この大幅に進んだ時間経過するまで表示時間が真の時間に一致することはなく、同じ時間が表示され続ける。
【０００９】
このように、大幅に異なる時間を表示し、また長時間に亘り時間が進行しないのであれば、ユーザに不快感を与えるとともに時間表示の意味がなくなってしまうという問題があった。
【００１０】
この発明の目的は、真の時間と大幅に異なる時間データを一時的に読み取っても、その影響を極短時間に抑制し、できる限り真の時間と表示時間とが一致する光ディスク装置を提供することにある。
【００１１】
【課題を解決するための手段】
上記の目的を達成するために、この発明は、光ディスクに記憶された画像データ、および時間データを読み取る読取手段と、読取手段が読み取った時間データに応じた時間を表示させる時間表示画像データを生成する時間表示画像データ生成手段と、読取手段が読み取った画像データに基づく画像に、時間表示画像データに基づく時間表示画像を重ね合わせた合成画像を生成し、出力する合成画像出力手段とを備え、時間表示画像データ生成手段で、読取手段が今回読み取った時間データが、前回表示させた時間に対して時間進行方向に所定時間範囲内であれば、表示する時間データを読み取った時間データで更新して、この時間データが示す時間を表示させる時間画像表示データを生成し、前回表示させた時間に対して時間進行方向に予め設定した時間範囲外であった場合に、前回表示させた時間を引き続き表示させる時間表示画像データを生成することを特徴としている。
【００１２】
この構成では、今回の読取時間が、前回の表示時間に対し時間進行方向に予め設定した時間範囲外であった場合に、今回の表示時間は、前回の表示時間をそのまま用いて時間表示画像データが形成され出力される。そして、この次の回の読取時間が、前回の表示時間に対して時間進行方向に予め設定した時間範囲内であれば、この読取時間で表示時間が更新され、この表示時間による時間表示画像データが形成され出力される。この時点で、読取時間が、再度、前回の表示時間に対して設定した時間範囲外であった場合には、表示時間は再度更新されず、前回の表示時間を引き続き用いて時間表示画像データが形成され出力される。そして、その後、順に読取時間が設定された時間範囲内となるまで、表示時間は更新されずに維持され、設定した時間範囲内になった時に初めて、表示時間が更新されて、時間表示画像データが形成され出力される。
【００１３】
また、この発明は、時間表示画像データ生成手段で、読取手段が今回読み取った時間データが、前回表示させた時間に対して時間進行方向に予め設定した時間範囲外であった場合に、これ以降所定時間に亘って読取手段が読み取った時間データを記憶し、これらの時間データに時間連続性が有れば、読取手段が読み取った最新の時間データが示す時間を表示させる時間表示画像データを生成することを特徴としている。
【００１４】
この構成では、今回の読取時間が、前回の表示時間に対して予め設定した時間範囲外にある場合にも、所定時間に亘り複数の読取時間を記憶し、これらの読取時間が順に時間連続性を有することが確認されると、記憶された読取時間のうち、最も新しい読取時間で表示時間が更新され、この表示時間に応じた時間表示画像データが形成され出力される。
【００１５】
また、この発明は、時間表示画像データ生成手段で、読取手段が今回読み取った時間データが前回表示させた時間よりも以前の時間であった場合に、前回表示させた時間を引き続き表示させる時間表示画像データを生成することを特徴としている。
【００１６】
この構成では、今回の読取時間が、前回の表示時間よりも以前の時間であった場合に、前回の表示時間が引き続き今回の表示時間に用いられ、この表示時間に応じた時間表示画像データが形成され出力される。
【００１７】
【発明の実施の形態】
本発明の実施形態に係る光ディスク装置について、図を参照して説明する。
【００１８】
図１は本発明に係る光ディスク装置の概要を示すブロック図である。
図２は時間データの読み取りから出力までのフローを示したフローチャート図であり、ｎは予め設定した時間値であり、ｍは予め設定した読み取り回数値である。
【００１９】
図３は真の時間と読取時間と表示時間との関係を示した図である。
図１に示すように、本発明の実施形態に示す光ディスク装置１は、表示器２に接続されており、光ディスク１００から画像データ、音声データ、時間データ等を読み出し、復調して、表示器２に出力する。光ディスク１００は、例えばＶＣＤやＤＶＤ等である。
【００２０】
光ディスク装置１は、ディジタルデータ読取部１１と、画像データ生成部１２と、本発明の時間表示画像データ生成手段に対応する時間データ生成部１３と、合成画像出力部１５と、音声データ生成部（図示せず。）とからなる。
【００２１】
光ディスク１００には、画像データ、音声データ、および時間データ等のディジタルデータが所定の形式で記録されている。ディジタルデータ読取部１１は、この光ディスク１００の記録面にレーザ等の光を当てて、その反射光から各ディジタルデータを読み取り、それぞれ、画像データ生成部１２、時間データ生成部１３、および音声データ生成部に伝送する。
【００２２】
画像データ生成部１２は、入力されたディジタルデータ中の画像データを復調する。そして、この画像データを表示器２の画面枠の仕様（アスペクト比等）に合致するように変換処理し、合成画像出力部１５に出力する。
音声データ生成部は、入力されたディジタルデータ中の音声データを復調し、表示器２に出力する。
【００２３】
時間データ生成部１３は、入力されたディジタルデータ中の時間データを、後述する方法で、この時間データの妥当性を検討した後、合成画像出力部１５に出力する。
【００２４】
合成画像出力部１５は、入力された画像データと時間データの同期をとって、所定形式の合成画像を形成して、表示器２に出力する。
【００２５】
次に、時間データの出力フローについて、図２、図３を参照して説明する。
なお、図３においては、読取時間とはその時点で読み取った時間データに応じた時間を示し、表示時間とはその時点で表示器２に表示される時間、すなわち、時間データ生成部１３から出力される時間を示す。また、図２に示すフローは再生時に繰り返し実行される。
【００２６】
図２に示すように、時間データ生成部１３に、ある時点でディジタルデータが入力されると、このディジタルデータに含まれる時間データが読み取られる（ｓ１）。読み取られた時間データ（読取時間）は、その直前に表示出力された時間データ（表示時間）と比較される（ｓ２）。ある時点（現時点）の読取時間が、直前の表示時間よりも、予め設定しておいた時間範囲ｎ内（本実施形態ではｎ＝５秒）で進んでいる場合には、表示時間を更新して、新しい表示時間を出力する（ｓ３→ｓ４→ｓ５）。このように更新された表示時間は、次の時点での読取時間との比較に用いるため、フィードバックされる。このフローを繰り返すことで、表示時間を順次更新して、出力していく。
【００２７】
（１）　読取時間が正確であり、表示時間が順次更新するパターンを、図３のパターン１に示す。
【００２８】
このパターンでは、ある時点（真の時間で９秒の時点）での読取時間は９秒であり、直前の表示時間は８秒であるため、表示時間は更新され、新たな表示時間は９秒となる。その後も、読取時間が真の時間と一致し続けるので、真の時間と表示時間とは終始一致する。このように、読取時間が正確であれば、図３のパターン１に示すように、真の時間と読取時間と表示時間とが一致して順次進んでいく。
【００２９】
（２）　次に、ある一時点でのみ読取時間が、その直前の表示時間から予め設定された所定時間範囲ｎ（＝５秒）内で進んでおり、且つ真の時間と異なる場合の読取時間と表示時間との関係について、図３のパターン２に示す。
【００３０】
ある時点（図３における真の時間で９秒の時点）で、読取時間が、光ディスクの傷、汚れ等の影響を受け、１０秒であった場合、図２のフローチャートに示すように、現時点での読取時間は、所定の時間範囲内（５秒以内）であるため、表示時間は１０秒に更新され、出力される（ｓ３→ｓ４→ｓ５）。この表示時間はフィードバックされ、次の読取時間の比較対象となる。
【００３１】
次に、真の時間で１０秒の時点で、読取時間が１０秒であっても、同様に、読取時間が所定時間範囲内に入るため、表示時間は更新されて、出力される（ｓ３→ｓ４→ｓ５）。
【００３２】
このようなフローを実行することで、一時的に真の時間と異なる表示時間を出力するがその差は微小なものであり、すぐに真の時間に一致した表示時間を出力することができる。これにより、読取時間が一時的に真の時間と異なっていても、ユーザに不快感を与えることなく、時間を表示することができる。
【００３３】
なお、この実施例では、１時点のみ読取時間が真の時間と異なる例を示したが、上述の所定の読み取り制限回数以下であれば、連続して読取時間が真の時間と異なっていても、同様のフローを用いて表示時間を真の時間に一致するように復帰することができる。
【００３４】
（３）　次に、図３のパターン３のように、ある時点での読取時間が、その直前の表示時間から所定時間（５秒）進んだ時間範囲よりもさらに進んだ時間（設定時間範囲外）となった場合について説明する。
【００３５】
図３のパターン３に示すように、ある時点（真の時間で９秒の時点）での読取時間が１４秒であった場合には、所定時間範囲ｎ（＝５秒）よりも進んだ時間となるため、この読取時間を記憶する（ｓ３→ｓ６）。この時点で、所定時間範囲内に入らなかった読取時間は１時点であり、予め設定された所定時間範囲外の時間データの読み取り制限回数ｍ（＝５回）を超えていないので、表示時間は更新されず、直前の表示時間（８秒）がそのまま用いられる（ｓ７→ｓ９→ｓ５）。次の時点（真の時間で１０秒の時点）で、読取時間が真の時間に一致する１０秒であると、読取時間はこの時点での表示時間に対して所定時間範囲内に入るため、表示時間を更新して出力する（ｓ３→ｓ４→ｓ５）。このような場合においても、一時的に時間は停止するが、極微小時間にすることができる。これにより、読取時間が一時的に真の時間と異なっていても、ユーザに不快感を与えることなく、時間を表示することができる。
【００３６】
（４）　次に、図３のパターン４のように、ある時点での読取時間が、その直前での表示時間よりも以前の時間であった場合について説明する。
【００３７】
図３のパターン４に示すように、ある時点（真の時間で９秒の時点）での読取時間が、直前の表示時間（８秒）よりも以前の時間（６秒）であった場合には、、読取時間が上述の所定時間範囲外となるので、読取時間が一旦記憶される（ｓ３→ｓ６）。この時点で、所定時間範囲内に入らなかった読取時間は１時点であり、予め設定された所定時間範囲外の時間データの読み取り制限回数ｍ（＝５回）を超えていないので、表示時間は更新されず、直前の表示時間（８秒）が出力される（ｓ７→ｓ９→ｓ５）。次に、真の時間で１０秒の時点で、読取時間が１０秒であると、読取時間が所定時間範囲内に入るため、表示時間は更新されて、出力される（ｓ３→ｓ４→ｓ５）。
【００３８】
このようなフローを実行することで、一時的に読取時間が逆行しても、直前の表示時間を再表示し、その後の読取時間を用いて表示時間を更新することにより、すぐに真の時間に一致した表示時間を出力することができる。これにより、読取時間が一時的に真の時間と異なっていても、ユーザに不快感を与えることなく、時間を表示することができる。
【００３９】
（５）　次に、図３のパターン５のように、ある時点での読取時間が、その直前での表示時間から所定時間（５秒）進んだ範囲よりもさらに進んだ時間となった場合であり、且つその後続いて読み取られた複数の読取時間に時間継続性がある場合について説明する。すなわち、すでに読取時間および表示時間が真の時間と異なっている場合について説明する。
【００４０】
図３のパターン５に示すように、ある時点（真の時間で９秒の時点）での読取時間が９秒であるが、直前の表示時間が３秒であった場合、直前の時点に対し、現時点での読取時間は所定時間進んだ時間範囲（５秒）よりもさらに進んだ時間となってしまうため、読取時間は一旦記憶される（ｓ３→ｓ６）。この時点で、所定時間範囲内に入らなかった読取時間は１時点であり、予め設定された所定時間範囲外の時間データの読み取り制限回数ｍ（＝５回）を超えていないので、直前の表示時間がそのまま出力される（ｓ７→ｓ９→ｓ５）。この後、真の時間で１０，１１，１２，１３秒において、所定時間範囲を超えて進む読取時間が得られた場合には、それぞれに読取時間は記憶され（ｓ３→ｓ６）、上述の所定の読み取り制限回数ｍ（＝５回）を超えた時点で、これら記憶された読取時間の時間連続性が確認される（ｓ７→ｓ８）。ここで、時間連続性の確認とは、連続して記憶された複数の読取時間が、順次、等間隔で時系列に推移しているかを確認することである。図３のパターン５に示すように、時間連続性がある場合には、その時点での最新の読取時間で、表示時間を更新する（ｓ８→ｓ１０→ｓ４）。更新された表示時間は出力されるとともに、次の時点での読取時間の比較対象としてフィードバックされる。ここで、時間連続性がなければ、表示時間は更新されず、それ以前の表示時間がそのまま出力される（ｓ８→ｓ９→ｓ５）。
【００４１】
なお、本実施形態では、表示時間を更新するための時間範囲を５秒としたが、ユーザに不快感を与えない程度の時間として、１０秒程度にしてもよい。また、読取時間が設定時間範囲外である場合の繰り返し回数（読み取り制限回数）についても、設定時間範囲内で行うことができる繰り返し回数であればよい。例えば、設定時間が１０秒で、１秒毎に時間データを読み取る場合には、繰り返し回数は１０回以下で任意に設定することができる。
【００４２】
以上に示したような構成で、時間範囲と読取時間を記憶する回数（時間）とを適切に設定することで、光ディスク表面の傷等により、正確な読取時間が得られず、一時的に真の時間と異なる表示時間を出力しても、極短時間で真の時間を表示するように表示時間を修正することができる。
【００４３】
【発明の効果】
この発明によれば、ある時点の読取時間を、その直前の表示時間と比較し、読取時間がその直前の表示時間から所定時間進んだ時間範囲内にある場合には表示時間を更新して出力し、時間範囲外にある場合には表示時間を更新せず、直前の表示時間をそのまま出力することにより、一時的に真の時間と異なる時間を表示しても、極短時間で再度真の時間を表示するように修正する光ディスク装置を構成することができる。これにより、ユーザに表示による不快感を殆ど与えることなく、時間を表示することができる。
【００４４】
また、この発明によれば、ある時点の読取時間を、その直前の表示時間と比較し、読取時間がその直前の表示時間から所定時間進んだ時間範囲外にある場合であっても、その時点以降の所定回数に亘り読み取った読取時間が時間連続性を有する場合には、読取時間の内で、最新の読取時間に表示時間を更新して出力することにより、容易に真の時間を表示するように時間データを修正することができる。
【００４５】
また、この発明によれば、ある時点の読取時間を、その直前の表示時間と比較し、読取時間がその直前の表示時間よりも以前の時間であった場合に、表示時間を更新せずに、直前の表示時間をそのまま出力し、読取時間が直前の表示時間よりも進んでおり且つ、所定の時間範囲内にある場合のみ、表示時間を更新して出力する。これにより、容易に真の時間を表示するように時間データを修正することができる。
【図面の簡単な説明】
【図１】本発明の実施形態に係る光ディスク装置の概要を示すブロック図
【図２】本発明の実施形態に係る時間データの抽出から更新までのフローチャート
【図３】真の時間と読取時間と表示時間との関係を示す図
【図４】従来の時間データの読取から更新までのフローチャート
【符号の説明】
１−光ディスク装置
２−表示器
１１−ディジタルデータ読取部
１２−時間データ生成部
１３−画像データ生成部
１５−合成画像出力部
１００−光ディスク
【図１】
2004048683.tif 000003
【図２】
2004048683.tif 000004
【図３】
2004048683.tif 000005
【図４】
2004048683.tif 000006